(57)【要約】【課題】従来の技術には、前記止水板と目地板とを直接組み立てる簡便で有効な技法がなく、本発明は現場で簡便で確実に止水板と目地板とを組み立て固定できるコンクリートの目地付き止水構造体の施工方法、及びそれに用いる止水板固定具の提供を課題とする。【解決手段】短尺の四角筒を切断して、不等辺山型部材と不等辺溝型部材とに分割・形成した止水板固定具を用い、基礎地盤に２個の不等辺溝型部材を隙間を置いて立設・固定した隙間に目地板を挟扼し、その上に止水板を載置、止水板上に２個の不等辺山型部材を、不等辺溝型部材の上方の水平壁部と対応する位置に隙間を置いて面対称に配設、不等辺山型部材と不等辺溝型部材とで止水板を挟扼し、２個の不等辺山型部材間の隙間に２段目の目地板を挟装・固定して目地板と止水板との立体構造体を組み上げるコンクリートの目地付き止水構造体の施工方法による。【選択図】図１
2018012948.tif 000002
【特許請求の範囲】
【請求項１】
短尺の四角筒を縦に切断して、断面逆Ｌ字型の部材と断面コの字型の部材とに分割して形成した２種の止水板固定具を用いて施工する場所打ちコンクリートの目地付き止水構造体の施工方法であって、
前記断面逆Ｌ字型の部材は上方の水平壁部の長さを縦の垂直壁部の長さより短くした不等辺山型部材（２）とし、断面コの字型の部材は上方の水平壁部の長さを下方の水平壁部の長さより短くした不等辺溝型部材（１）となし、
第１工程として、基礎地盤（１０）に２個の前記不等辺溝型部材（１）を隙間を置いて面対称に立設・固定し、前記隙間に伸縮性の目地板（３）を挟装し、
第２工程として、不等辺溝型部材（１）の上方の水平壁部の上面に止水板（４）を水平に載置し、
第３工程として、前記止水板（４）の上に２個の不等辺山型部材（２）の水平壁部を、前記不等辺溝型部材（１）の上方の水平壁部と対応する位置に隙間を置いて面対称に配設した後、不等辺山型部材（２）の水平壁部と前記不等辺溝型部材（１）の上方の水平壁部とによって止水板を挟んだ状態で固定し、前記２個の不等辺山型部材（２）間の隙間に２段目の目地板（３）を挟装・固定して目地板（３）と止水板（４）との立体構造体を組み上げ、
第４工程として前記組み上げられた目地板（３）と止水板（４）との立体構造体の外周部にコンクリートモルタル（レディーミクストコンクリート）を打設することを特徴とするコンクリートの目地付き止水構造体の施工方法。
【請求項２】
前記目地板（３）が側方に並置されてなる個所においては、前記止水板固定具が両目地板（３）に跨るように配設・固定されてなることを特徴とする請求項１に記載のコンクリートの目地付き止水構造体の施工方法。
【請求項３】
請求項１又は２に記載のコンクリートの目地付き止水構造体の施工方法に用いられる止水板固定具であって、
短尺の四角筒を縦に切断して得られる、断面逆Ｌ字型の部材と断面コの字型の部材とからなり、前記断面逆Ｌ字型の部材は上方の水平壁部の長さを縦の垂直壁部の長さより短くした不等辺山型部材（２）であり、断面コの字型の部材は上方の水平壁部の長さを下方の水平壁部の長さより短くした不等辺溝型部材（１）であって、かつ、前記不等辺山型部材（２）と不等辺溝型部材（１）の組み合わせの２組でなることを特徴とする止水板固定具。
【請求項４】
前記不等辺山型部材（２）の水平壁部の長さと不等辺溝型部材（１）の上面水平壁部との長さとが等しく形成されてなることを特徴とする請求項３に記載の止水板固定具。
【請求項５】
前記不等辺山型部材（２）と不等辺溝型部材（１）が防錆処理された金属製のものであることを特徴とする請求項３又は４に記載の止水板固定具。
【発明の詳細な説明】
【技術分野】
【０００１】
本発明は、場所打ちコンクリートの目地付き止水構造体の施工方法、及びそれに用いる止水板固定具に関するものである。
【背景技術】
【０００２】
コンクリートは、ダム、トンネル、橋梁等の土木構造体や、集合住宅、オフィスビル等の建築構造体など、様々な構造物に用いられているが、これらコンクリート構造物の一部はあらかじめ工場等で製作され所定の場所に運搬されて設置することもあるが、土木構造物や建築構造物の場合は、所定の場所に直接コンクリートを打設して構築されることが多く、その場合、セメントと水、骨材等を練り混ぜた状態のコンクリートモルタル（レディーミクストコンクリート）を型枠の中に打設し、コンクリートの効果を待って型枠を外すことでコンクリート構造物を構築している。
【０００３】
そして、コンクリート打設箇所の継ぎ目部分には、止水板と伸縮性を有する目地板とが取り付けられ、コンクリートの伸縮に起因する継ぎ目部分からの浸水を防止している。
この止水板とその施工方法として、特開平１０−１５９０６０号公報には、
『［請求項１］帯状に形成されコンクリートの繋ぎ目に介装される止水板において、その両側面の中央部に一体に長手方向に凹部が形成された目地板保持部と、この目地板保持部に形成された係合部と、この係合部に着脱自在に設けられ上記目地板保持部に保持される目地板とは異なる厚さの目地板を保持する補助部材とを備えたことを特徴とする止水板。
［請求項２］上記補助部材は長手方向に目地板を保持する凹部を有し、その凹部の両側部に、上記目地板保持部の係合部に係合する被係合部を備えていることを特徴とする請求項１記載の止水板。
［請求項３］コンクリートの壁面を有する水路のコンクリートの繋ぎ目に目地板と止水板を取り付ける施工方法において、この止水板の両側面の中央部に一体に長手方向に凹部が形成された目地板保持部を設け、コンクリート壁の両側部の型枠取付部に、上記目地板を保持する目地板固定部材を取り付けるとともに、上記目地板保持部と上記目地板固定部材間に各々目地板を保持させ、上記型枠間で目地板固定部材により目地板及び止水板を保持し、上記目地板を挟んで上記止水板の両端縁部が位置した型枠間の空間部に、同時にまたは連続してコンクリートを流し込む止水板の施工方法。』
と記載されており目地板と止水板とは止水板に設けた目地板保持部によって保持されている状態にある。
【０００４】
また、特開２０１６−１１５５４公報には
『［請求項１］コンクリート部材同士の突き合わせ面に介設された目地材と、前記コンクリート部材同士の間に横架された伸縮性を有する目地板と、止水板とを備える目地構造であって、前記止水板の一方の端部は、取付部材を介して一方の前記コンクリート部材の鉄筋に固定されており、前記止水板の他方の端部は、取付部材を介して他方の前記コンクリート部材の鉄筋に固定されていることを特徴とする、目地構造。
［請求項２］前記目地材は、一対の押圧部材により挟持されていて、一方の前記押圧部材は、一方の前記コンクリート部材の鉄筋に固定されており、他方の前記押圧部材は、他方の前記コンクリート部材の鉄筋に固定されていることを特徴とする、請求項１に記載の目地構造。
［請求項３］前記取付部材が、前記押圧部材を備えていることを特徴とする、請求項２に記載の目地構造。
［請求項４］目地部を挟んで対向する一対のコンクリート部材の鉄筋を配筋する工程と、前記鉄筋に固定された押圧部材を利用して目地材を前記鉄筋に固定する工程と、前記鉄筋に固定された取付部材を利用して止水板を前記鉄筋に固定する工程と、型枠を設置する工程と、前記型枠内にコンクリートを打設する工程と、を備えることを特徴とする、コンクリート構造物の施工方法。』
が開示されている。
【先行技術文献】
【特許文献】
【０００５】
【特許文献１】特開平１０−１５９０６０号公報
【特許文献２】特開２０１６−１１５５４号公報
【発明の概要】
【発明が解決しようとする課題】
【０００６】
上記周辺技術における特許文献１の発明は、止水板の両側面の中央部に一体として長手方向に凹部が形成された目地板保持部を有し、その目地板保持部と型枠に設けた目地板保持部材間に目地板を保持させ、目地板の両側にコンクリートを打設する施工方法であって止水板と目地板とは前記目地板保持部に係合されたのみであり、強固に結合された状態にない。
また特許文献２の発明にあっては、止水板は鉄筋を介して両側面から押圧保持された目地板と結合されているがその形態を形成する部材が多く必要であり、組み立てに手間と経費が掛かるという問題がある。
したがって、従来の技術には、前記止水板と目地板とを直接組み立てる簡便で有効な技法がなく、本発明は現場で簡便で確実に止水板と目地板とを組み立て固定できるコンクリートの目地付き止水構造体の施工方法、及びそれに用いる止水板固定具の提供を課題とする。
【課題を解決するための手段】
【０００７】
本発明者は上記課題を下記の手段により解決した。
（１）短尺の四角筒を縦に切断して、断面逆Ｌ字型の部材と断面コの字型の部材とに分割して形成した２種の止水板固定具を用いて施工する場所打ちコンクリートの目地付き止水構造体の施工方法であって、
前記断面逆Ｌ字型の部材は上方の水平壁部の長さを縦の垂直壁部の長さより短くした不等辺山型部材とし、断面コの字型の部材は上方の水平壁部の長さを下方の水平壁部の長さより短くした不等辺溝型部材となし、
第１工程として、基礎地盤に２個の前記不等辺溝型部材を隙間を置いて面対称に立設・固定し、前記隙間に伸縮性の目地板を挟装し、
第２工程として、不等辺溝型部材の上方の水平壁部の上面に止水板を水平に載置し、
第３工程として、前記止水板の上に２個の不等辺山型部材の水平壁部を、前記不等辺溝型部材の上方の水平壁部と対応する位置に隙間を置いて面対称に配設し後、不等辺山型部材の水平壁部と前記不等辺溝型部材の上方の水平壁部とによって止水板を挟んだ状態で固定し、前記２個の不等辺山型部材間の隙間に２段目の目地板を挟装・固定して目地板と止水板との立体構造体を組み上げ、
第４工程として前記組み上げられた目地板と止水板との立体構造体の外周部にコンクリートモルタル（レディーミクストコンクリート）を打設することを特徴とするコンクリートの目地付き止水構造体の施工方法。
（２）前記目地板が側方に並置されてなる個所において、前記止水板固定具が両目地板に跨るように配設・固定されてなることを特徴とする（１）に記載のコンクリートの目地付き止水構造体の施工方法。
【０００８】
（３）前記（１）又は（２）に記載のコンクリートの目地付き止水構造体の施工方法に用いられる止水板固定具であって、
短尺の四角筒を縦に切断して得られる、断面逆Ｌ字型の部材と断面コの字型の部材とからなり、前記断面逆Ｌ字型の部材は上方の水平壁部の長さを縦の垂直壁部の長さより短くした不等辺山型部材であり、断面コの字型の部材は上方の水平壁部の長さを下方の水平壁部の長さより短くした不等辺溝型部材であって、かつ、前記不等辺山型部材と不等辺溝型部材の組み合わせの２組でなることを特徴とする止水板固定具。
（４）前記不等辺山型部材の水平壁部の長さと不等辺溝型部材の上面水平壁部との長さとが等しく形成されてなることを特徴とする（３）に記載の止水板固定具。
（５）前記不等辺山型部材と不等辺溝型部材が防錆処理された金属製のものであることを特徴とする（３）又は（４）に記載の止水板固定具。
【発明の効果】
【０００９】
本発明のコンクリートの目地付き止水構造体の施工方法及びそれに用いる止水板固定具によって下記の効果が発揮される。
〈１〉短尺の四角筒を縦に切断して、断面逆Ｌ字型の部材と断面コの字型の部材とに分割して形成した２種の止水板固定具を用いて施工する場所打ちコンクリートの目地付き止水構造体の施工方法であって、
前記断面逆Ｌ字型の部材は上方の水平壁部の長さを縦の垂直壁部の長さより短くした不等辺山型部材とし、断面コの字型の部材は上方の水平壁部の長さを下方の水平壁部の長さより短くした不等辺溝型部材となし、
第１工程として、基礎地盤に２個の前記不等辺溝型部材を隙間を置いて面対称に立設・固定し、前記隙間に伸縮性の目地板を挟装し、
第２工程として、不等辺溝型部材の上方の水平壁部の上面に止水板を水平に載置し、
第３工程として、前記止水板の上に２個の不等辺山型部材の水平壁部を、前記不等辺溝型部材の上方の水平壁部と対応する位置に隙間を置いて面対称に配設し後、不等辺山型部材の水平壁部と前記不等辺溝型部材の上方の水平壁部とによって止水板を挟んだ状態で固定し、前記２個の不等辺山型部材間の隙間に２段目の目地板を挟装・固定して目地板と止水板との立体構造体を組み上げ、
第４工程として前記組み上げられた目地板と止水板との立体構造体の外周部にコンクリートモルタル（レディーミクストコンクリート）を打設するので、
目地板と止水板との組立・固定が極めて簡単にでき、現場作業が容易で短時間で行うことができる。
〈２〉前記目地板が側方に並置されてなる個所において、前記止水板固定具が両目地板に跨るように配設・固定されるので、前記〈１〉の効果に加えて、止水板固定具の使用数が減少し、工費節減が図れる。
【００１０】
〈３〉前記課題解決手段の（３）に記載のコンクリートの目地付き止水構造体の施工方法に用いられる止水板固定具が、
短尺の四角筒を縦に切断して得られる、断面逆Ｌ字型の部材と断面コの字型の部材とからなり、前記断面逆Ｌ字型の部材は上方の水平壁部の長さを縦の垂直壁部の長さより短くした不等辺山型部材であり、断面コの字型の部材は上方の水平壁部の長さを下方の水平壁部の長さより短くした不等辺溝型部材であって、かつ、前記不等辺山型部材と不等辺溝型部材の組み合わせの２組で構成されているので、
原材料の四角筒を余すことなく有効に利用でき、かつ単に２個所切断するだけの簡単な作業で製作できる。
〈４〉前記不等辺山型部材の水平壁部の長さと不等辺溝型部材の上面水平壁部との長さとが等しく形成されているので、
前記止水板の上下に挟んで配置・固定する際、前記不等辺山型部材を先きに基礎地盤に固定された不等辺溝型部材の真上に容易に配置し、固定することができる。
〈５〉前記不等辺山型部材と不等辺溝型部材が、防錆処理された金属製のものであるので、施工後のコンクリートのひび割れ等による浸水によっても腐食することなく、目地板と止水板との強固な結合が確保される。
【図面の簡単な説明】
【００１１】
【図１】本発明のコンクリートの目地付き止水構造体の構造説明図
【図２】本発明のコンクリートの目地付き止水構造体の一実施例の斜視図
【図３】本発明のコンクリートの目地付き止水構造体の他の実施例の斜視図
【図４】本発明の止水板固定具製造の方法説明図
【発明を実施するための形態】
【００１２】
本発明の実施の形態について、実施例の図に基づいて説明する。
図１は本発明のコンクリートの目地付き止水構造体の構造説明図、図２は本発明のコンクリートの目地付き止水構造体の一実施例の斜視図、図３は本発明のコンクリートの目地付き止水構造体の他の実施例の斜視図であり、図４は本発明の止水板固定具の製造方法説明図である。
図において１は不等辺溝形部材、２は不等辺山形部材、３は伸縮性目地板、４は止水板、５は長尺の止めねじ、６はねじ、７はコンクリートモルタル（レディーミクストコンクリート）、８は連結補強板、１０は基礎地盤、２０は短尺の四角筒、Ｃ１、Ｃ２は短尺の四角筒２０の切断箇所を示している。
【００１３】
最初に本発明のコンクリートの目地付き止水構造体の施工方法に用いられる止水板固定具について説明する。
前記止水板固定具は、図４に示すように、短尺の四角筒２０を切断箇所Ｃ１、Ｃ２で縦に切断して分割し製作した断面逆Ｌ字型の部材と断面コの字型の部材との２種を１対としてなるもので、前記断面逆Ｌ字型の部材は上方の水平壁部の長さを縦の垂直壁部の長さより短くした不等辺山型部材２とし、断面コの字型の部材は上方の水平壁部の長さを下方の水平壁部の長さより短くした不等辺溝型部材１に形成されている。
そしてこの止水板固定具を用いて施工される図１に示すコンクリートの目地付き止水構造体は、以下に示す工程によって施工される。即ち、
ａ．まず基礎地盤１０上に２個の前記不等辺溝型部材１を隙間を置いて面対称に立設し、前記基礎地盤１０にその長辺側の水平壁部を長尺の止めねじ５によって前記基礎地盤１０に固定した後、その隙間に不等辺溝型部材１の垂直壁部の高さに等しい高さの前記伸縮性の目地板２を挟装し、前記２個の前記不等辺溝型部材１の一方の垂直壁部から他方の垂直壁部に達するねじ６をねじ込んで固定する（第１工程）、
ｂ．次に不等辺溝型部材１の上方の水平壁部の上面に止水板４を水平に載置する（第２工程）、
ｃ．その後、前記止水板４の上に２個の不等辺山型部材２の水平壁部を、前記不等辺溝型部材１の上方の水平壁部と対応する位置に隙間を置いて面対称に配設した後、不等辺山型部材２の水平壁部と前記不等辺溝型部材１の上方の水平壁部とによって止水板４を挟んだ状態でねじ止めして固定し、さらに前記２個の不等辺山型部材２間の隙間に２段目の目地板３を挟装し、第１工程で行ったのと同様にして、一方の垂直壁部から他方垂直壁部に達するねじ６をねじ込んで固定して目地板３と止水板４との立体構造体を組み上る（第３工程）、
ｄ．そして前記組み上げられた目地板３と止水板４との立体構造体の外周部にコンクリートモルタル（レディーミクストコンクリート）７を打設する（第４工程）、
とで、本発明のコンクリートの目地付き止水構造体が完成する。
【００１４】
図２に示す斜視図は、上記工程を経て完成したコンクリートの目地付き止水構造体の一実施例であって、前記目地板３が側方に並置されてなる個所において、前記止水板固定具が２枚の目地板３の接合部に跨るように配設・固定されて、その垂直壁部によって２枚の目地板３を結合させる役割を果たしていることを示している。
また、図３に示す斜視図は、前記水平方向に隣接して配設された２枚の目地板３をより強固に連結するために連結補強板８を別途備えた実施例を示している。
【００１５】
前記短尺の四角筒２０を縦に切断して止水板固定具を形成する際、図４に示す切断箇所Ｃ１を上辺の中点に選択し、前記不等辺山型部材２の水平壁部の長さと不等辺溝型部材１の上面水平壁部との長さとを等しく形成してなることが、前記第３の工程で、止水板３の上に２個の不等辺山型部材２の水平壁部を前記不等辺溝型部材１の上方の水平壁部に対応する位置への配設と固定とが容易となり好ましい。
また前記不等辺山型部材２と不等辺溝型部材１が防錆処理された金属製のものであることが、施工後のコンクリートのひび割れ等による浸水によっても腐食することなく、目地板２と止水板３との強固な結合が確保されるので好ましい。
【符号の説明】
【００１６】
１：不等辺溝形部材
２：不等辺山形部材
３：伸縮性目地板
４：止水板
５：長尺の止めねじ
６：ねじ
７：コンクリートモルタル（レディーミクストコンクリート）
８：連結補強板
１０：基礎地盤
２０：短尺の四角筒
Ｃ１、Ｃ２：切断箇所
【図１】
2018012948.tif 000003
【図２】
2018012948.tif 000004
【図３】
2018012948.tif 000005
【図４】
2018012948.tif 000006